(57)【特許請求の範囲】
【請求項１】
複数の第一情報アイテムと、前記複数の第一情報アイテムのそれぞれに対応する複数の第二情報アイテムとを記憶するストレージモジュールと、
複数の第一情報表示領域、複数の第二情報表示領域及び共通表示領域を有する多軸操作インタフェースを表示するディスプレイモジュールであって、前記複数の第一情報表示領域は、第一の軸に沿って配置され、前記複数の第一情報アイテムを表示するために使用され、前記複数の第二情報表示領域は、第二の軸に沿って配置され、前記複数の第二情報アイテムを表示するために使用され、前記第一の軸は、前記共通表示領域で前記第二の軸と交差し、ｉを正の整数として、前記複数の第一情報アイテムのうちのｉ番目の第一情報アイテムが前記共通表示領域で表示されたとき、前記複数の第二情報表示領域及び前記共通表示領域は、前記ｉ番目の第一情報アイテムに対応する第二情報アイテムを表示するために使用される、ディスプレイモジュールと、
操作コマンドの入力を受け付ける入力モジュールと、
前記ストレージモジュール、前記ディスプレイモジュール及び前記入力モジュールに接続される制御ユニットであって、前記操作コマンドに従って、前記第一情報アイテムを制御して、前記第一の軸に沿って前記第一情報表示領域及び前記共通表示領域に移動させるか、又は前記第二情報アイテムを制御して、前記第二の軸に沿って前記第二情報表示領域及び前記共通表示領域に移動させる制御ユニットと、
を備え、
前記多軸操作インタフェースが十字形に交差するように、前記複数の第一情報表示領域は、前記共通表示領域の反対側で直線的に配置され、前記複数の第二情報表示領域は、前記共通表示領域の別の反対側で直線的に配置され、
前記ストレージモジュールは、前記複数の第二情報アイテムのそれぞれに対応する複数の第三情報アイテムを更に記憶し、
前記多軸操作インタフェースは、複数の第三情報表示領域を更に有し、前記第三情報表示領域は、第三の軸に沿って配置され、前記複数の第三情報アイテムを表示するために使用され、前記第一の軸、前記第二の軸及び前記第三の軸は、前記共通表示領域で交差し、
ｊを正の整数として、前記複数の第二情報アイテムのうちのｊ番目の第二情報アイテムが前記共通表示領域で表示されたとき、前記複数の第三情報表示領域及び前記共通表示領域は、前記ｊ番目の第二情報アイテムに対応する第三情報アイテムを表示するために使用され、
前記制御ユニットは、前記操作コマンドに従って、前記第三情報アイテムを制御して、前記第三の軸に沿って前記第三情報表示領域及び前記共通表示領域に移動させる、電子装置。
【請求項２】
前記制御ユニットに電気的に接続される通信モジュールを更に備え、
前記通信モジュールは、サーバと通信し、前記サーバから複数の情報タグを受信するために使用され、前記複数の第一情報アイテム及び前記複数の第二情報アイテムは、前記複数の情報タグに記録される、
請求項１記載の電子装置。
【請求項３】
前記複数の情報タグは、ＲＳＳタグ、ＡＴＯＭタグ又はこれらの組み合わせである、
請求項２記載の電子装置。
【請求項４】
ｊを正の整数として、前記ｉ番目の第一情報アイテムと、前記ｉ番目の第一情報アイテムに対応する前記複数の第二情報アイテムのうちのｊ番目の第二情報アイテムとが前記共通表示領域で表示されたとき、前記制御ユニットは、前記ｉ番目の第一情報アイテム及び前記ｊ番目の第二情報アイテムに対応する画像を表示するように、前記ディスプレイモジュールを制御する、
請求項１記載の電子装置。
【請求項５】
前記制御ユニットに電気的に接続されるスピーカを更に備え、
ｊを正の整数として、前記ｉ番目の第一情報アイテム及び前記ｉ番目の第一情報アイテムに対応する前記複数の第二情報アイテムのうちのｊ番目の第二情報アイテムが前記共通表示領域で表示されたとき、前記制御ユニットは、前記ｉ番目の第一情報アイテム及び前記ｊ番目の第二情報アイテムに対応する音声をブロードキャストするようにスピーカを制御する、
請求項１記載の電子装置。
【請求項６】
情報表示方法であって、
ストレージモジュールが複数の第一情報アイテム及び前記複数の第一情報アイテムのそれぞれに対応する複数の第二情報アイテムとを記憶する段階と、
ディスプレイモジュールが複数の第一情報表示領域、複数の第二情報表示領域及び共通表示領域を有する多軸操作インタフェースを表示する段階であって、前記複数の第一情報表示領域は、第一の軸に沿って配置され、前記複数の第一情報アイテムを表示するために使用され、前記複数の第二情報表示領域は、第二の軸に沿って配置され、前記複数の第二情報アイテムを表示するために使用され、前記第一の軸は、前記共通表示領域で前記第二の軸と交差し、ｉを正の整数として、前記複数の第一情報アイテムのうちのｉ番目の第一情報アイテムが前記共通表示領域で表示されたとき、前記複数の第二情報表示領域及び前記共通表示領域は、前記ｉ番目の第一情報アイテムに対応する第二情報アイテムを表示するために使用される、段階と、
入力モジュールが操作コマンドの入力を受け付ける段階と、
制御ユニットが前記操作コマンドに従って、前記第一情報アイテムを制御して、前記第一の軸に沿って前記第一情報表示領域及び前記共通表示領域に移動させ、又は前記第二情報アイテムを制御して、前記第二の軸に沿って前記第二情報表示領域及び前記共通表示領域に移動させる段階と、
を含み、
前記多軸操作インタフェースが十字形に交差するように、前記複数の第一情報表示領域は、前記共通表示領域の反対側に直線的に配置され、前記複数の第二の情報表示領域は、前記共通表示領域の別の反対側で直線的に配置され、
前記多軸操作インタフェースは、複数の第三情報表示領域を更に有し、前記複数の第三情報表示領域は、第三の軸に沿って配置され、前記第一の軸、前記第二の軸及び前記第三の軸は、前記共通表示領域で交差し、
当該情報表示方法は、
前記ストレージモジュールが前記複数の第二情報アイテムのそれぞれに対応する複数の第三情報アイテムを記憶する段階であって、前記複数の第三情報表示領域は、前記複数の第三情報アイテムを表示するために使用され、ｊを正の整数として、前記複数の第二情報アイテムのうちのｊ番目の第二情報アイテムが前記共通表示領域で表示されたとき、前記複数の第三情報表示領域及び前記共通表示領域は、前記ｊ番目の第二情報アイテムに対応する第三情報アイテムを表示するために使用される、段階と、
前記制御ユニットが、前記操作コマンドに従って、前記第三情報アイテムを制御して、前記第三の軸に沿って前記第三情報表示領域と前記共通表示領域に移動させる段階と、
を更に含む、情報表示方法。
【請求項７】
通信モジュールがサーバから複数の情報タグを受信する段階を更に含み、
前記複数の第一情報アイテム及び前記複数の第二の情報アイテムは、前記複数の情報タグに記録される、
請求項６記載の情報表示方法。
【請求項８】
前記複数の情報タグは、ＲＳＳタグ、ＡＴＯＭタグ又はこれらの組み合わせである、
請求項７記載の情報表示方法。
【請求項９】
ｊを正の整数として、前記ｉ番目の第一情報アイテム及び前記ｉ番目の第一情報アイテムに対応する前記複数の第二情報アイテムのうちのｊ番目の情報アイテムとが前記共通表示領域で表示されたとき、前記制御ユニットは、前記ｉ番目の第一情報アイテム及び前記ｊ番目の第二情報アイテムに対応する画像を表示するように前記ディスプレイモジュールを制御する段階を更に含む、
請求項６記載の情報表示方法。
【請求項１０】
ｊを正の整数として、前記ｉ番目の第一情報アイテム及び前記ｉ番目の第一情報アイテムに対応する前記複数の第二情報アイテムのうちのｊ番目の第二情報アイテムとが前記共通表示領域で表示されたとき、前記制御ユニットは、前記ｉ番目の第一情報アイテム及び前記ｊ番目の情報アイテムに対応する音声をブロードキャストするようにスピーカを制御する段階を更に含む、
請求項６記載の情報表示方法。
【発明の詳細な説明】
【技術分野】
【０００１】
本発明は、多軸操作インタフェースに関し、より詳細には、多軸操作インタフェースをもつ電子装置、及び多軸操作インタフェースを使用した情報アイテムを表示する方法に関する。
【背景技術】
【０００２】
インターネットが益々普及しており、ＴＶ視聴に関して益々多くの選択が存在する。ユーザは、デジタルチャネルを視聴することができるだけでなく、ＴＶを介してインターネットから多くの番組及びビデオを取得することもできる。これまで、ユーザが現在の番組名は何かにより、時々混乱するように、従来のＴＶは、現在のチャネル／番組の情報（例えばチャネル名、チャネル番号、番組名、番組の導入等）及び次の番組名を表示するだけである。さらに、ユーザがインターネットからビデオを視聴するのを望む場合、彼／彼女は、はじめに多くのリストを見て、次いでそこから所望のビデオを選択する必要がある。ビデオを視聴した後、彼／彼女は、他のビデオを選択するためにオリジナルのリストに戻る必要がある。上述した操作は僅かな時間であって複雑である。
【特許文献１】米国特許第7971216号明細書
【発明の概要】
【発明が解決しようとする課題】
【０００３】
本発明の目的は、上述された課題を解決するため、多軸操作インタフェースをもつ電子装置、及び情報表示方法を提供することにある。
【課題を解決するための手段】
【０００４】
特許請求に係る発明によれば、電子装置は、複数の第一情報アイテムと、第一情報アイテムのそれぞれに対応する複数の第二情報アイテムとを記憶するストレージモジュールと、複数の第一情報表示領域及び複数の第二情報表示領域並びに共通表示領域を有する多軸操作インタフェースを表示するディスプレイモジュールとを備える。複数の第一情報表示領域は、第一の軸に沿って配置され、複数の第一情報アイテムを表示するために使用され、複数の第二情報表示領域は、第二の軸に沿って配置され、複数の第二情報アイテムを表示するために使用される。第一の軸は、共通表示領域で第二の軸と交差する。ｉを整数として、複数の第一情報アイテムのうちのｉ番目の第一情報アイテムが共通の表示領域で表示されたとき、複数の第二情報表示領域及び共通の表示領域は、ｉ番目の第一情報アイテムに対応する第二情報アイテムを表示する。電子装置は、操作コマンドを入力する入力モジュールと、ストレージモジュール、ディスプレイモジュール及び入力モジュールに接続される制御ユニットであって、操作コマンドに従って、第一情報アイテムを第一の軸に沿って第一情報表示領域及び共通の表示領域に移動するように制御するか、第二情報アイテムを第二の軸に沿って第二情報表示領域及び共通表示領域に移動するように制御する制御ユニットとを備える。
【０００５】
特許請求に係る発明によれば、多軸操作インタフェースが十字交差するように、複数の第一情報表示領域は、共通表示領域の反対側で直線的に配置され、複数の第二情報表示領域は、共通表示領域の別の反対側で直線的に配置される。
【０００６】
特許請求に係る発明によれば、電子装置は、制御ユニットに電気的に接続される通信モジュールを更に備える。通信モジュールは、サーバと通信し、サーバから複数の情報タグを受信するために使用される。複数の第一情報アイテム及び複数の第二の情報アイテムは、複数の情報タグに記録される。
【０００７】
特許請求に係る発明によれば、情報タグは、ＲＳＳタグ、ＡＴＯＭタグ又はそれらの組み合わせである。
【０００８】
特許請求に係る発明によれば、ｊを正の整数として、ｉ番目の第一情報アイテム及びｉ番目の第一情報アイテムに対応する複数の第二情報アイテムのうちのｊ番目の第二情報アイテムが共通表示領域で表示されたとき、制御ユニットは、ｉ番目の第一情報アイテム及びｊ番目の第二の情報アイテムに対応する画像を表示するように、ディスプレイモジュールを制御する。
【０００９】
特許請求に係る発明によれば、電子装置は、制御ユニットに電気的に接続されるスピーカを更に備え、ｊを正の整数として、ｉ番目の第一情報アイテム及びｉ番目の第一情報アイテムに対応する複数の第二情報アイテムのうちのｊ番目の第二情報アイテムが共通表示領域で表示されたとき、制御ユニットは、ｉ番目の第一情報アイテム及びｊ番目の第二情報アイテムに対応する音声をブロードキャストするようにスピーカを制御する。
【００１０】
特許請求に係る発明によれば、ストレージモジュールは、複数の第二情報アイテムのそれぞれに対応する複数の第三情報アイテムを更に記憶する。多軸操作インタフェースは、複数の第三情報表示領域を更に有し、複数の第三情報表示領域は、第三の軸に沿って配置され、複数の第三情報アイテムを表示するために使用される。第一の軸、第二の軸及び第三の軸は、共通表示領域で交差する。複数の第二情報アイテムのうちのｊ番目の第二情報アイテムが共通表示領域で表示されたとき、複数の第三情報表示領域及び共通表示領域は、ｊを正の整数として、ｊ番目の第二情報アイテムに対応する第三情報アイテムを表示する。制御ユニットは、操作コマンドに従って、第三情報アイテムを制御して、第三の軸に沿って第三情報表示領域及び共通表示領域に移動させる。
【００１１】
特許請求に係る発明によれば、情報表示方法は、複数の第一情報アイテム及び複数の第一情報アイテムのそれぞれに対応する複数の第二情報アイテムとを記憶する段階、多軸操作インタフェースを表示する段階を含む。多軸操作インタフェースは、複数の第一情報表示領域、複数の第二情報表示領域及び共通表示領域を有し、複数の第一情報表示領域は、第一の軸に沿って配置され、複数の第一情報アイテムを表示するために使用され、複数の第二情報表示領域は、第二の軸に沿って配置され、複数の第二情報アイテムを表示するために使用される。第一の軸は、共通表示領域で第二の軸と交差する。ｉを正の整数として、複数の第一情報アイテムのうちのｉ番目の第一情報アイテムが、共通表示領域で表示されたとき、複数の第二情報表示領域及び共通表示領域は、ｉ番目の第一情報アイテムに対応する第二情報アイテムを表示する。情報表示方法は、操作コマンドを入力する段階と、操作コマンドに従って、第一の情報アイテムを制御して、第一の軸に沿って第一情報表示領域及び共通表示領域に移動させるか、又は第二情報アイテムを制御して、第二の軸に沿って第二情報表示領域及び共通表示領域に移動させる。
【００１２】
特許請求に係る発明によれば、多軸操作インタフェースが十字交差するように、複数の第一情報表示領域は、共通表示領域の反対側に直線的に配置され、複数の第二の情報表示領域は、共通表示領域の別の反対側で直線的に配置される。
【００１３】
特許請求に係る発明によれば、情報表示方法は、サーバから複数の情報タグを受信する段階を更に含む。複数の第一情報アイテム及び複数の第二の情報アイテムは、複数の情報タグに記録される。
【００１４】
特許請求に係る発明によれば、複数の情報タグは、ＲＳＳタグ、ＡＴＯＭラグ又はこれらの組み合わせである。
【００１５】
特許請求に係る発明によれば、情報表示方法は、ｊを正の整数として、ｉ番目の第一情報アイテム及びｉ番目の第一情報アイテムに対応する複数の第二情報アイテムのうちのｊ番目の情報アイテムとが共通表示領域で表示されたとき、ｉ番目の第一情報アイテム及びｊ番目の第二情報アイテムに対応する画像を表示する段階を更に含む。
【００１６】
特許請求に係る発明によれば、情報表示方法は、ｉ番目の第一情報アイテム及びｉ番目の第一情報アイテムに対応する複数の第二情報アイテムのうちのｊ番目の第二情報アイテムとが共通表示領域で表示されたとき、ｊを正の整数として、ｉ番目の第一情報アイテム及びｊ番目の情報アイテムに対応する音声をブロードキャストする段階を更に含む。
【００１７】
特許請求に係る発明によれば、多軸操作インタフェースは、複数の第三情報表示領域を更に有する。複数の第三情報表示領域は、第三の軸に沿って配置され、第一の軸、第二の軸及び第三の軸は、共通表示領域で交差する。情報表示方法は、複数の第二情報アイテムのそれぞれに対応する複数の第三情報アイテムを記憶する段階を更に含む。複数の第三情報表示領域は、複数の第三情報アイテムを表示するために使用される。複数の第二情報アイテムのうちのｊ番目の第二情報アイテムが共通表示領域で表示されるとき、第三情報表示領域及び共通表示領域は、ｊを正の整数として、ｊ番目の第二情報アイテムに対応する第三情報アイテムを表示する。情報表示方法は、操作コマンドに従って、第三情報アイテムを制御して、第三の軸に沿って第三情報表示領域と共通表示領域に移動させる。
【発明の効果】
【００１８】
上述されたように、本発明の多軸操作インタフェースは、ユーザにとって少なくとも２つの軸に沿って情報アイテムを表示する。ユーザは、所望の第一情報アイテムを閲覧及び選択するように、入力モジュールを操作して、はじめに第一の軸に沿って第一情報アイテムを移動するように制御する。その後、ユーザは、再び入力モジュールを操作して、第二の軸に沿って移動するように、選択された第一の情報アイテムに対応する第二情報アイテムを制御する。これにより、所望の第二の情報アイテムを閲覧及び選択し、選択された第一及び第二情報アイテムに対応する画像を表示するか、対応する音声をブロードキャストする。言い換えれば、ユーザは、少なくとも２つの軸に沿って、本発明の多軸操作インタフェースを通して迅速に所望の情報を閲覧及び選択することができる。従って、本発明の操作は簡略化され、便利である。さらに、本発明は、多軸操作インタフェースにおいてユーザにとって多くの情報を提供することができるように、実際の応用に従って、第三の軸又は第三を超える軸を追加する場合がある。
【００１９】
本発明のこれらの目的及び他の目的は、様々な図面で説明される好適な実施の形態の以下の詳細な説明を読んだ後に、当業者にとって明らかとなるであろう。
【図面の簡単な説明】
【００２０】
【図１】本発明の実施の形態に係る、多軸操作インタフェースをもつ電子装置を説明する機能的なブロック図である。
【図２】図１に示される多軸操作インタフェースを例示する概略図である。
【図３】図２に示される第一情報アイテムが第一の軸に沿って上方向に移動することを例示する概略図である。
【図４】図３に示される第二情報アイテムが第二の軸に沿って左方向に移動することを例示する概略図である。
【図５】本発明の実施の形態に係る情報表示方法を例示するフローチャートである。
【図６】本発明の別の実施の形態に係る多軸操作インタフェースを例示する概略図である。
【発明を実施するための形態】
【００２１】
図１から図５を参照して、図１は、本発明の実施の形態に係る多軸操作インタフェース１０をもつ電子装置１を例示する機能ブロック図であり、図２は、図１に示される多軸操作インタフェース１０を例示する概略図であり、図３は、図２に示される第一情報アイテムが第一の軸に沿って上方向に移動することを例示する概略図であり、図４は、図３に示される第二情報アイテムが第二の軸Ｘに沿って左方向に移動することを例示する概略図であり、図５は、本発明の実施の形態に係る情報表示方法を例示するフローチャートである。図５に示される情報表示方法は、図１に示される電子装置１により実現される。
【００２２】
本発明の電子装置１は、ＴＶ、パーソナルコンピュータ、フラットコンピュータ、ノードブック、携帯電話、パーソナルデジタルアシスタント、又はディスプレイを備えた他の電子装置である場合がある。図１に示されるように、電子装置１は、ストレージモジュール１２、ディスプレイモジュール１４、入力モジュール１６、制御ユニット１８、通信モジュール２０及びスピーカ２２を備えている。制御ユニット１８は、ストレージモジュール１２、入力モジュール１６、通信モジュール２０及びスピーカ２２に電気的に接続される。実際の応用では、ストレージモジュール１２は、ハードディスク、メモリ又はデータを記憶可能な他の装置である。ディスプレイモジュール１４は、液晶表示装置又は他の表示装置である。入力モジュール１６は、コントローラ、キーボード、マウス、マイクロフォン、カメラ、タッチパネル又はそれらの組み合わせである。制御ユニット１８は、データ計算／処理機能をもつプロセッサ又はコントローラである。通信モジュール２０は、有線又は無線方式でサーバ３と通信する。上述した有線又は無線方式は、当業者にって知られているため、ここでは関連技術は示されない。一般に、電子装置１は、電源、オペレーティングシステム、アプリケーションプログラム等、特定用途のために必要なハードウェア又はソフトウェアコンポーネントが更に設けられており、実際の応用に依存する。
【００２３】
通信モジュール２０は、サーバ３から複数の情報タグを受信し（図５におけるステップＳ１０）。情報タグのそれぞれは、第一情報アイテムと、第一情報アイテムに対応する複数の第二情報アイテムとを記憶する。この実施の形態では、情報タグは、限定されるものではないが、ＲＳＳタグ、ＡＴＯＭタグ又はその組み合わせである。一般に、情報タグは、サービスプロバイダにより作成され、サービスプロバイダは、ユーザが彼／彼女の所望の情報アイテムに加入するため、サーバ３における情報タグの複数のリンクを張る。なお、ＲＳＳ及びＡＴＯＭタグのフォーマットは当業者に知られているため、ここでは関連技術が示されない。実際の応用では、情報タグを受信した後、制御ユニット１８は、（例えばRSSリーダ又はATOMリーダといった）リーダを通して情報タグに記録された情報アイテムを読む場合がある。
【００２４】
ストレージモジュール１２は、複数の第一情報アイテム及び第一情報アイテムのそれぞれに対応する複数の第二情報アイテムを記憶するために使用される（図５におけるステップＳ１２）。例えば、多軸操作インタフェース１０がチャネル／プログラム情報アイテムを表示するために使用される場合、第一情報アイテムはチャネル情報アイテムであり（例えばチャネル名、チャネル説明等）、第二情報アイテムは、番組情報アイテムである（例えば番組名、番組説明、番組サムネイル等）。以下の表１を参照して、チャネル／番組情報は、例えば第一情報アイテムと第二情報アイテムとの間の関係を説明するために使用される。なお、図１に示される第一情報アイテムと第二情報アイテムは、情報タグを連続して受信することで更新される。さらに、別の実施の形態では、上述されたステップＳ１０が省略されるように、第一情報アイテムと第二情報アイテムは、ストレージモジュール１２に構築される場合がある。
【００２５】
【表１】
0005615957.tif 000002
ディスプレイモジュールは、多軸操作インタフェース１０を表示するために使用される（図５に示されるステップＳ１４）。多軸操作インタフェース１０は、複数の第一情報表示領域１００、複数の第二情報表示領域１０２及び共通表示領域１０４を有しており、第一情報表示領域１００は、第一の軸Ｙに沿って配置され、上述された第一情報アイテムを表示するために使用され、第二情報表示領域１０２は、第二の軸Ｘに沿って配置され、上述された第二情報アイテムを表示するために使用される。第一の軸Ｙは、共通表示領域１０４で第二の軸Ｘと交差する。図２から図４に示されるように、多軸操作インタフェース１０は、２つの第一情報表示領域１００及び２つの第二情報表示領域１０２を有する。２つの第一情報表示領域１００は、共通表示領域１０４の反対側に直線的に配置され、２つの第二情報表示領域１０２は、共通表示領域１０４の別の反対側に直接的に配置され、多軸操作インタフェース１０は、十字形に交差する。なお。第一情報表示領域１００及び第二情報表示領域１０２の数及び配置は、実用的な応用に基づいて決定することができ、図２から図４で示される実施の形態に限定されるものではない。言い換えれば、本発明は、共通表示領域１０４の上側及び下側に２を超える第一情報表示領域を配置する場合があり、共通表示領域１０４の左側及び右側に２を超える第二情報表示領域１０２を配置する場合がある。さらに、多軸操作インタフェース１０は、Ｘ形状又は十字形を除く他の形状である場合がある。別の実施の形態では、実用的な応用に従って、第一情報表示領域１００は、第二の軸Ｘに沿って配置され、第二情報表示領域１０２は、第一の軸Ｙに沿って配置される場合もある。
【００２６】
この実施の形態では、第一情報アイテムのうちのｉ番目の第一情報アイテムは、共通表示領域１０４で表示されるとき、第二情報表示領域１０２及び共通表示領域１０４は、ｉを正の整数として、ｉ番目の第一情報アイテムに対応する第二情報アイテムを表示する。図２及び表１に示されるように、チャネルＢの情報（すなわち第一情報アイテム）は、共通表示領域１０４で表示され、従って第二情報表示領域１０２及び共通表示領域１０４は、チャネルＢに対応する番組Ｂ２、Ｂ３及びＢ４の情報アイテム（すなわち第二情報アイテム）を表示する。チャネル情報アイテムは、チャネル名、チャネル説明、チャネル発行日、チャネルタイトル等を含み、番組情報アイテムは、番組名、番組タイプ、番組説明、番組サムネイル、番組リンク、番組発行日、番組タイトル等を含む。第一及び第二情報アイテムは、デフォルトであるか又はユーザにより調節される場合がある。
【００２７】
この実施の形態では、ｉ番目の第一情報アイテム及びｉ番目の第一情報アイテムに対応する第二の情報アイテムのｊ番目の第二情報アイテムが共通表示領域１０４で表示されるとき、制御ユニット１８は、ｉ番目の第一情報アイテム及びｊ番目の第二情報アイテムに対応する画像を表示するようにディスプレイモジュール１４を制御し、及び／又は、ｊを正の整数として、ｉ番目の第一情報アイテム及びｊ番目の第二情報アイテムに対応する音声をブロードキャストするようにスピーカ２２を制御する。図２に示されるように、チャネルＢの情報アイテム（すなわち第一情報アイテム）及びチャネルＢに対応する番組Ｂ３の情報アイテム（すなわち第二情報アイテム）は共通表示領域１０４で表示される。従って、制御ユニット１８は、番組リンクを通してサーバ３からチャネルＢの番組Ｂ３をダウンロードし、チャネルＢの番組Ｂ３に対応する画像を表示するようにディスプレイモジュール１４を制御するか、及び／又は、チャネルＢの番組Ｂ３に対応する音声をブロードキャストするようにスピーカ２２を制御する。例えば、チャネルＢの番組Ｂ３がビデオである場合、制御ユニット１８は、ディスプレイモジュール１４及びスピーカ２２を制御して、ビデオを表示し、ビデオの音声をブロードキャストする。チャネルＢの番組Ｂ３が音楽である場合、制御ユニット１８は、スピーカ２２を制御して音楽のみをブロードキャストする。
【００２８】
ユーザが前の第一情報アイテム（例えば図２におけるチャネルＡ）又は次の第一情報アイテム（例えば図２におけるチャネルＣ）を閲覧するのを望むとき、彼／彼女は、入力モジュール１６を操作して操作コマンドを入力し（図５におけるステップＳ１６）、所望の第一情報アイテムを閲覧及び選択するため、現在の第一情報アイテム（例えば図２におけるチャネルＢ）を制御して、第一の軸Ｙに沿って上方向及び下方向に移動させる。この実施の形態では、ユーザが現在の第一情報アイテム（例えば図２におけるチャネルＢ）を制御して、プレス操作、ドラッグ操作、音声入力、ジェスチャ入力等を通して、第一の軸に沿って上方向及び下方向に移動させ、次いで、所望の第一情報アイテムを閲覧及び選択するように、入力モジュール１６は、コントローラ、キーボード、マウス、マイクロフォン、カメラ、タッチパネル又はこれらの組み合わせである。
【００２９】
図３に示されるように、ユーザが入力モジュール１６を操作して上方向に移動する操作コマンドを入力した後、制御ユニット１８は、第一情報アイテムを制御して、第一の軸Ｙに沿って、第一情報表示領域１００及び共通表示領域１０４内に移動させる（図５におけるステップＳ１８）。この時、共通表示領域１０４で表示されるオリジナルのチャネルＢ及びＢ３は、チャネルＣ及び番組Ｃ３の情報アイテムに変わり、共通表示領域１０４の左側及び右側にある第二情報表示領域１０２は、チャネルＣの番組Ｃ２及びＣ４の情報アイテムに変化する。チャネルＢをチャネルＣに変わった後、共通の表示領域１０４にチャネルＣの最新の番組を表示すること、又は共通表示領域１０４に最後に表示された番組を表示することがデフォルトである場合がある。
【００３０】
ユーザが前の第二情報アイテム（例えば図３における番組Ｃ２）又は次の第二の情報アイテム（例えば図３における番組Ｃ４）を閲覧するのを望む場合、彼／彼女は、入力モジュール１６を操作して操作コマンドを入力し（図５におけるステップＳ２０）、所望の第二の情報アイテムを閲覧及び選択するように、現在の第二情報アイテム（例えば図３における番組Ｃ３）を制御して、第二の軸Ｘに沿って左方向及び右方向に移動させる。同様に、ユーザは、現在の第二情報アイテム（例えば図３における番組Ｃ３）を制御して、プレス操作、ドラッグ操作、音声入力、ジェスチャ入力等を通して、第二の軸Ｘに沿って左方向及び右方向に移動させ、次いで、所望の第二情報アイテムを閲覧及び選択する。
【００３１】
図４に示されるように、ユーザが入力モジュール１６を操作して左方向に移動する操作コマンドを入力した後、制御ユニット１８は、第二情報アイテムを制御して、第二の軸Ｘに沿って第二情報表示領域１０２及び共通表示領域１０５に移動させる（図５におけるステップＳ２２）。この時、共通表示領域１０４で表示される番組Ｃ３のオリジナルの情報アイテムは、番組Ｃ４の情報アイテムに変化する。
【００３２】
上述したチャネル／番組の情報アイテムのほかに、本発明の多軸操作インタフェース１０は、他の情報アイテムを表示するために使用される。例えば、第一情報アイテムは、番組の情報アイテム（例えばアプリケーションプログラム名、アプリケーションプログラム説明等）であり、第二情報アイテムは、バージョンの情報アイテム（例えばバージョンレベル、バージョン発行日等）である。以下の表２を参照して、アプリケーションプログラム／バージョンの情報アイテムは、例えば、第一情報アイテムと第二情報アイテムとの間の関係を説明するために使用される。
【００３３】
【表２】
0005615957.tif 000003
さらに、第一情報アイテムは、音楽アルバムの情報アイテム（例えばアルバム名、歌手名、曲数等）であり、第二情報アイテムは、歌の情報アイテム（例えば歌名、放送時間等）である。以下の表３を参照して、音楽アルバム／歌情報のアイテムは、例えば第一情報アイテムと第二情報アイテムとの間の関係を説明するために使用される。
【００３４】
【表３】
0005615957.tif 000004
図６を参照して、図６は、本発明の別の実施の形態に係る、多軸操作インタフェース１０’を説明する概略図である。多軸操作インタフェース１０’と上述された多軸操作インタフェース１０との間の大きな違いは、多軸操作インタフェース１０’が複数の第三情報表示領域１０６を更に含むことであり、第三情報表示領域１０６は、第三の軸Ｚに沿って配置され、第一の軸Ｙ、第二の軸Ｘ及び第三の軸Ｚは、共通表示領域１０４で交差する。この実施の形態では、ストレージモジュール１２は、第二情報アイテムのそれぞれに対応する複数の第三情報アイテムを更に記憶し、第三情報表示領域１０６は、第三情報アイテムを表示するために使用される。
【００３５】
例えば、多軸操作インタフェース１０’は、チャネル／カテゴリ／番組の情報アイテムを表示するために使用され、第一情報アイテムは、チャネルの情報アイテム（例えばチャネル名、チャネル説明等）であり、第二情報アイテムは、カテゴリの情報アイテム（例えば番組カテゴリ、番組数等）であり、第三情報アイテムは、番組の情報アイテム（例えば番組名、番組説明、番組サムネイル等）である。以下の表４及び表５を参照して、チャネル／カテゴリ／番組の情報アイテムは、例えば第一情報アイテム、第二情報アイテム及び第三情報アイテム間の関係を説明するために使用される。
【００３６】
【表４】
0005615957.tif 000005
【００３７】
【表５】
0005615957.tif 000006
図６に示されるように、上述された第一情報表示領域１００及び第二情報表示領域１０２のほかに、多軸操作インタフェース１０’は、共通表示領域１０４の前側及び後側で直線的に配置される２つの第三情報表示領域１０６を更に含み、多軸操作インタフェース１０’は、３次元となる。なお、第三情報表示領域１０４の数は、実際の応用に基づいて決定され、図６に示される実施の形態に限定されるものではない。
【００３８】
この実施の形態では、第二情報アイテムのうちのｊ番目の第二情報アイテムが共通表示領域１０４で表示されるとき、第三情報表示領域１０６及び共通表示領域１０４は、ｊを正の整数として、ｊ番目の第二情報アイテムに対応する第三情報アイテムを表示する。図６、表４及び表５に示されるように、チャネルＢの情報アイテム（例えば第一情報アイテム）は、共通表示領域１０４で表示され、従って、第二情報表示領域１０２及び共通表示領域１０４は、チャネルＢに対応するカテゴリＢ２、Ｂ３及びＢ４の情報アイテム（すなわち第二の情報アイテム）を表示し、カテゴリＢ３の情報アイテム（すなわち第二情報アイテム）は、共通表示領域１０４で表示され、従って第三情報表示領域１０６及び共通表示領域１０４は、カテゴリＢ３に対応する番組Ｂ３１、Ｂ３２及びＢ３３の情報アイテム（すなわち第三情報アイテム）を表示する。上述された動作原理のように、制御ユニット１８は、ユーザにより入力された操作コマンドに従って、第三の軸Ｚに沿って、第三情報表示領域１０６及び共通表示領域１０４に移動するように第三情報アイテムを制御する。
【００３９】
なお、図２から図４に示される多軸操作インタフェース１０及び図６に示される多軸操作インタフェース１０’及び図５に示される情報表示方法の制御ロジックは、ソフトウェアにより実現される。ソフトウェアは、ＴＶ、パーソナルコンピュータ、フラットコンピュータ、携帯電話、パーソナルデジタルアシスタント等のようなデータ処理機能をもつ電子装置により実現される。制御ロジックのそれぞれの部分又は機能がソフトウェア、ハードウェア又はその組み合わせにより実現されることが期待される。さらに、図５に示される情報表示方法の制御ロジックは、コンピュータ読み取り可能な記録媒体により実施され、コンピュータ読み取り可能な記録媒体は、対応する機能を実行する制御コマンドを生成するように電子装置により実行することができる命令を記憶する。
【００４０】
当業者は、装置及び方法の様々な変更及び変形は、本発明の教示を保持しつつ行われる場合がある。従って、先の開示は、特許請求の範囲の境界によってのみ制限されるように解釈されるべきである。
【符号の説明】
【００４１】
１：電子装置
３：サーバ
１０：多軸操作インタフェース
１２：ストレージモジュール
１４：ディスプレイモジュール
１６：入力モジュール
１８：制御ユニット
２０：通信モジュール
２２：スピーカ
【図１】
0005615957.tif 000007
【図２】
0005615957.tif 000008
【図３】
0005615957.tif 000009
【図４】
0005615957.tif 000010
【図５】
0005615957.tif 000011
【図６】
0005615957.tif 000012